(57)【特許請求の範囲】
【請求項１】
カバー付きの基板に取り付けられたロムの不正な交換を監視するシステムであって、前記カバーに取り付けられ、前記カバーが前記基板との固定状態から動かされたことを検知するとカバーはずし検知信号を出力するカバーはずし検知手段と、カバーはずし検知手段に接続される配線が断線もしくは短絡されたことを検知する断線／短絡検知部と、前記カバーはずし検知手段からのカバーはずし検知信号を受信するカバーはずし検知信号受信部と、警報を出力する警報出力部と、前記カバーはずし検知信号受信部及び前記断線／短絡検知部からの信号が入力され、前記警報出力部へ信号を出力する制御部とを備え、前記カバーはずし検知手段からのカバーはずし検知信号を受信したとき、または前記断線／短絡検知部が前記配線の断線／短絡を検知したときに前記警報出力部により警報を出力する制御装置と、を備えたロムの不正交換監視システムであって、
前記カバーはずし検出手段は、胴体部と、前記胴体部に挿入され、所定の大きさを有する永久磁石を備えた可動部と、前記胴体部の外側に固定されたリードスイッチとを備えるマグネットスイッチセンサであり、
前記可動部は挿入方向に対して移動自在であり、一端がロムに当接しており、
前記胴体部は前記カバーに固定され、正常時は前記永久磁石と前記リードスイッチとは近接していて、前記永久磁石の磁力により前記リードスイッチの接点は閉じており、異常時は前記カバーの取外し及びロムの取り外しに連動して前記可動部が前記胴体部内を所定距離以上移動して、前記リードスイッチに対する前記永久磁石の磁力が弱まり前記リードスイッチの接点が開いたときに前記カバーはずし検出信号を出力することを特徴とするロムの不正交換監視システム。
【発明の詳細な説明】
【０００１】
【発明の属する技術分野】
本発明は、電子制御に使用される所定のプログラムが書き込まれているロムの不正交換を監視するためのシステムに係り、特に、小球やメダル等の小遊戯体を使用する遊戯装置の制御に使用するロムの不正交換を監視するためのシステムに関する。
【０００２】
【従来の技術】
小球やメダル、コイン等の小遊戯体を使用する遊戯装置、例えば、パチンコ、スロットルマシン、パチスロ等の遊戯装置においては、近時、電子技術の進展に伴い、入賞装置や賞球排出装置の制御を電子的に制御する技術が採用されるようになっている。
【０００３】
例えば、入賞装置の制御装置を、入賞確率や、いわゆる大当たり等の特別入賞の確率を定めた制御プログラムにより制御するようなことが行われる。そして、このような場合、上記制御プログラムは、通常、ＲＯＭ（Ｒｅａｄ  Ｏｎｌｙ  Ｍｅｍｏｒｙ；以下「ロム」と記す）に書き込んでおき、遊戯装置の制御装置を構成する基板に装着するようにしている。
【０００４】
【発明が解決しようとする課題】
ところで、上述の例のような小遊戯体を使用する遊戯装置は、入賞によって得られる賞球等は一定のレートによって賞品と交換できるようにされていることが多く、また、遊戯者はその賞品の獲得を目的にしつつ遊戯を楽しむ場合が多い。
【０００５】
したがって、このような、遊戯装置にあっては、もし、ロムに書き込まれたプログラムによって定められた入賞確率が何者かにより自由に変更されるようなことがあれば、遊戯者あるいは遊戯場の経営者は、予期せぬ損害を被ったり、あるいは、遊戯装置を製造出荷した者の信用を損なうといったことも生じかねない。そこで、このようなロムは、製品として工場から出荷され遊戯場に設置された時点から、たとえば、ロムの取り付け部を封印等を施してプログラムの内容が変更されないように管理されている。
【０００６】
しかしながら、ロム自体は基板の取付部に挿入されて装着されており、これらの技術知識があるものであれば容易に交換することが可能である。したがって、何者かが、営業時間終了後に遊戯場に侵入して、あるいは、営業中、人目を避けて遊戯装置の後部に接近し、ロムを不正に交換したりされるおそれはあり、現にそのような犯罪も増えつつある。また、ロムのみの交換だけでなく、ロムが装着されている基板全体ごと他のロムの装着されている基板と交換するといった事態も予想される。
【０００７】
本発明は上記問題点に鑑みなされたもので、一旦、装着されたロムが、外部の人間はもちろん内部の人間によっても交換されようとした場合は、これを確実に検知することのできるシステムを提供することを目的とする。
【０００８】
【課題を解決するための手段】
上記課題を解決するために本発明のロムの不正交換監視システムは、本発明は、カバー付きの基板に取り付けられたロムの不正な交換を監視するシステムであって、前記カバーに取り付けられ、前記カバーが前記基板との固定状態から動かされたことを検知するとカバーはずし検知信号を出力するカバーはずし検知手段と、カバーはずし検知手段に接続される配線が断線もしくは短絡されたことを検知する断線／短絡検知部と、前記カバーはずし検知手段からのカバーはずし検知信号を受信するカバーはずし検知信号受信部と、警報を出力する警報出力部と、前記カバーはずし検知信号受信部及び前記断線／短絡検知部からの信号が入力され、前記警報出力部へ信号を出力する制御部とを備え、前記カバーはずし検知手段からのカバーはずし検知信号を受信したとき、または前記断線／短絡検知部が前記配線の断線／短絡を検知したときに前記警報出力部により警報を出力する制御装置と、を備えたロムの不正交換監視システムであって、
前記カバーはずし検出手段は、胴体部と、前記胴体部に挿入され、所定の大きさを有する永久磁石を備えた可動部と、前記胴体部の外側に固定されたリードスイッチとを備えるマグネットスイッチセンサであり、
前記可動部は挿入方向に対して移動自在であり、一端がロムに当接しており、
前記胴体部は前記カバーに固定され、正常時は前記永久磁石と前記リードスイッチとは近接していて、前記永久磁石の磁力により前記リードスイッチの接点は閉じており、異常時は前記カバーの取外しに連動して前記可動部が前記胴体部内を所定距離以上移動して、前記リードスイッチに対する前記永久磁石の磁力が弱まり前記リードスイッチの接点が開いたときに前記カバーはずし検出信号を出力することを特徴としている。
【００１３】
本発明は上記構成によって、ロム基板のカバーはずし及びロム基板と制御装置とを結ぶ配線の異常を確実に検知することができるので、ロムの不正交換を未然に防止することができる。また、警備会社によってのみ該システムを不動作にすることができるので、パチンコ店の従業員や店長などの内部の人間といえどもロムを不正に交換することはできない。
【００１４】
【発明の実施の形態】
以下に、本発明の実施の形態を図面を参照しながら説明する。
図１は、本発明のロムの不正交換監視システムの実施の形態を示すブロック図である。カバーはずし検知手段１は後述するロム基板８が収納されているカバー６に取り付けられており、カバー６がロム基板８との固定状態から動かされたことを検知するとカバーはずし検知信号を出力する。制御装置２はカバーはずし検知信号受信部２ａ、断線または短絡を検知する断線／短絡検知部２ｂ、制御部２ｃ、警報出力部２ｄを内蔵している。制御部２ｃはカバーはずし検知信号受信部２ａ、断線／短絡検知部２ｂ、警報出力部２ｄと接続されている。また、カバーはずし検知手段１はカバーはずし検知信号受信部２ａ、断線／短絡検知部２ｂと接続されている。カバーはずし検知信号受信部２ａがカバーはずし検知手段１からカバーはずし検知信号を受信すると、制御部２ｃを介して警報出力部２ｄから警報が出力され、外部（警備会社の図示しない監視センタなど）に送伝する。断線／短絡検知部２ｂは、カバーはずし検知手段１との間の配線４の断線／短絡を検知すると断線／短絡検知信号を出力し、制御部２ｃを介して警報出力部２ｄから警報が出力される。なお断線は、配線が物理的に切断された場合や、ハーネスを離脱した場合を含む。
【００１５】
（実施例１）
図２は、ロムの不正交換監視システムのカバーはずし検知手段１としてフォトカプラセンサ３を使用した場合の第１の実施例である。
図２は、例えば遊戯装置の制御部を構成する基板８に制御プログラムが書き込まれたロム５が装着された状態を示すもので、基板８は基板台９にビス７により取り付けられている。また、基板台９には基板８のほぼ全体を覆うようにに透明な樹脂によるカバー６が取り付けられている。
【００１６】
フォトカプラセンサ３は胴体部３ａ、可動部３ｂ、およびフォトカプラから構成され、フォトカプラの発光部３ｄ、受光部３ｅは可動部３ｂをはさんで胴体部３ａ中に設置されている。そして、フォトカプラセンサ３は配線４によって制御装置２へ接続されている。可動部３ｂは胴体部３ａに挿入されており、挿入方向と平行に自由に可動する。胴体部３ａの一端がカバー６に固定され、可動部３ｂは基板８と当接してカバー６の高さのＨに応じて所定の長さだけ矢印ａの方向に胴体部３ａ内に挿入されている。可動部３ｂには、軸方向に平行に所定の長さを有する穴部３ｃが設けられ、可動部３ｂが基板８と正当に当接しているときには、発光部３ｄから投射された光が穴部３ｃを通過して受光部３ｅに到達するようになっている。そして、カバー６がはずされたときなどには可動部３ｂが胴体部３ａからみて矢印ｂの方向に移動し、発光部３ｄからの光は穴部３ｃを通過して受光部３ｅに到達しなくなる。このとき、フォトカプラセンサ３から制御装置２へ配線４を介してカバーはずし検知信号が送信される。
【００１７】
図２において、何者かがロム５のみを不正に交換しようとしてカバー６を開けると、フォトカプラセンサ３の胴体部３ａが矢印ａの方向へ可動部３ｂが矢印ｂの方向に移動する。可動部３ｂが基板８と正当に当接していたときには、発光部３ｄから投射された光が穴部３ｃを通過して受光部３ｅに到達していたが、この胴体部３ａと可動部３ｂの移動により、発光部３ｄからの光は穴部３ｃを通過して受光部３ｅに到達しなくなり、フォトカプラセンサ３から制御装置２へカバーはずし検知信号が送信され、そして制御装置２からたとえば警備会社の中央監視センタへ警報が送信されて、それを受けて警備員が現場へ急行することとなる。
【００１８】
また、ロム５だけでなく基板８、基板台９、カバー６などすべてを取り替えることも考えられる。しかしそのときは配線４を切断することになり、配線４を切断すると同時に制御装置２の内部の断線／短絡検知部２ｂが配線４の断線を検知し、制御部２ｃを介して警報出力部２ｄから警報が出力されることになる。
【００１９】
そして本実施例においてのシステムの警備状態の切り換えは、警備会社のみが行うようにすることにより、パチンコ店の従業員や店長といえどもロムを不正に交換することはできない。
（実施例２）
図３は、ロムの不正交換監視システムのカバーはずし検知手段１として赤外線センサ１０を使用した場合の第２の実施例である。
【００２０】
赤外線センサ１０は発光部１０ａ、受光部１０ｂとから構成され、配線４によって制御装置２と接続されている。赤外線センサ１０はロム５と向い合うようにカバー６に固着されている。発光部１０ａから投射された赤外線がロム５に反射して受光部１０ｂにおいて受光されるように設置されている。カバー６において赤外線センサ１０の固着部分の周囲には遮光シール１１が貼付されている。ロム５、カバー６、ビス７、基板８、基板台９は、図２と同様に設置されている。発光部１０ａからは常時赤外線が投射されており、受光部１０ｂはロム５にて反射した赤外線を受光している状態が正常状態である。受光部１０ｂが赤外線を受光しなくなると同時に、赤外線セ１０から制御装置２へ配線４を介してカバーはずし検知信号を送信する。
【００２１】
図４は、図３における赤外線センサ１０の周辺を基板８からみて垂直上方から見たものである。カバー６の平面において赤外線センサ１０が止め具１５により固着されており、その周辺に遮光シール１１が貼付されている。赤外線センサは配線４と接続されている。
【００２２】
図３において実施例１と同様に、不正してカバー６を開けると、赤外線センサ１０の発光部１０ａとロム５の距離が離れ、発光部１０ａから投射された赤外線が受光部１０ｂｂとどかないか、または正常時よりもその反射量が減衰するので、赤外線センサ１０から制御装置２へカバーはずし検知信号が送信され、そして制御装置２からたとえば警備会社の中央監視センタへ警報が送信されて、それを受けて警備員が現場へ急行することとなる。また、赤外線センサ１０をカバー６上の任意の場所にずらし、カバー６に穴をあけてロム５を交換することも考えられる。これをも検知できるように、赤外線センサ１０により赤外線の発光／受光に支障がない程度に窓をあけた遮光シール１１をカバー６に貼付し、その窓に合わせて赤外線センサ１０をカバー６に設置する。赤外線センサ１０を少しでもずらせば発光部１０ａから投射された赤外線が遮光シール１１によって遮断されて受光部１０ｂへとどかず、同時に赤外線センサ１０から制御装置２へカバーはずし検知信号が送信されるので、様々な手口によるロムの不正交換をいち早く検知できる可能性がより一層増えることとなる。
【００２３】
さらに、ロム５だけでなく基板８、基板台９、カバー６などごとすべてを取り替える手口に対しても実施例１と同様に配線４の切断により、制御装置２の内部の断線／短絡検知部２ｂが配線４の断線を検知する。
なお、内部犯行への対策として、例えば、警備状態／警備解除状態を切り換えるための警備状態切換手段のようなシステムを不作動状態にするための特別な手段を設けないようして、システムが常に監視状態におかれるようにする。あるいは、システムの警備状態を切り換える警備状態切換手段（図示せず）を設けた場合には、その操作は特定の鍵、カード、暗証番号によってのみ実行できるようにして、それを操作するための鍵、カード、暗証番号等はたとえば警備会社、予め指定された者のみが保有するようにする。正当にロムを交換するときはその者に連絡し、不要な警報が出ないように対処する。
（実施例３）
図５は、ロム不正交換監視システムのカバーはずし検知手段１としてマグネットスイッチセンサ１２を使用した場合の第３の実施例を示す。
【００２４】
マグネットスイッチセンサ１２は、胴体部１２ａ、所定の大きさの永久磁石１３を備えた可動部１２ｂ、リードスイッチ１２ｃとから構成され、リードスイッチ１２ｃは配線４にて制御装置２と接続されている。胴体部１２ａはカバー６において止め具１６にて外側に固定されている。可動部１２ｂは胴体部１２ａに挿入されており、挿入方向と平行に自由に可動する。胴体部１２ａと逆側の可動部１２ｂの一端は、ロム５の背面と当接しており、そのとき永久磁石１３はカバー６の外側に位置している。リードスイッチ１２ｃは胴体部１２ａの外側に固着されており、正常時においては永久磁石１３と近接している。リードスイッチ１２ｃの接点は、何も力が加わっていないと開いているが、正常時においては永久磁石１３と近接しているので永久磁石１３の磁力により接点は閉じている。
【００２５】
カバー６が基板８から取り外されたり、ロム５が基板８から取り外されたりしたときは、可動部１２ｂが移動して永久磁石１３とリードスイッチ１２ｃが離れることによりリードスイッチ１２ｃに対する永久磁石１３の磁力が弱まるのでリードスイッチ１２ｃの接点が開き、配線４を通して制御装置２へカバーはずし検出信号が送信される。
【００２６】
図６は、リードスイッチ１２ｃの近傍に抵抗１４を取り付けたものである。配線４を短絡することによりリードスイッチ１２ｃおよび抵抗１４を配線から形成される回路からはずすと、図１に記載の断線／短絡検知部２ｂが回路内の抵抗値の変化を検出するので、短絡を確実に検知することができる。
【００２７】
ここで、図５において実施例１と同様に、不正してカバー６を開けると、可動部１２ｂが移動して永久磁石１３とリードスイッチ１２ｃが離れることによりリードスイッチ１２ｃに対する永久磁石１３の磁力が弱まるのでリードスイッチ１２ｃの接点が開き、配線４を通して制御装置２へカバーはずし検出信号が送信される。また、カバー６に穴をあけてロム５だけ交換しようとしても、ロム５を外すときには可動部１２ｂが胴体部１２ａに押し込まれることになり、やはり永久磁石１３とリードスイッチ１２ｃが離れることになり、リードスイッチ１２ｃに対する永久磁石１３の磁力が弱まるのでリードスイッチ１２ｃの接点が開く。リードスイッチ１２ｃの接点の開きを検知されなように、配線４の短絡によりリードスイッチ１２ｃを配線４からはずしても、図６のようにリードスイッチ１２ｃの近傍に抵抗１４を取り付けておけば制御装置２内の断線／短絡検知部２ｂが短絡を検知するので、制御部２ｃを介して警報出力部２ｄから警備会社等へ警報が送信されることとなる。
【００２８】
【発明の効果】
以上の通り、本発明はロム基板のカバーにフォトカプラセンサ、あるいは赤外線センサ、あるいはマグネットスイッチセンサを取り付けることによって、様々な手口によるロムの不正交換を確実に検知することができる。また、本発明によるシステムの警備状態の切り換えは警備会社のみが行えるようにしたので、遊戯場の従業員や店長といえどもロムを不正に交換することはできない。
【図面の簡単な説明】
【図１】本発明のロムの不正交換監視システムの構成を示すブロック図である。
【図２】本発明の実施例１に係わる、フォトカプラセンサをロム基板に取り付けた様子の断面図である。
【図３】本発明の実施例２に係わる、赤外線センサをロム基板に取り付けた様子の断面図である。
【図４】本発明の実施例２に係わる、赤外線センサをロム基板に取り付けた様子の平面図である。
【図５】本発明の実施例３に係わる、マグネットスイッチセンサをロム基板のカバーに取り付けた様子の断面図である。
【図６】本発明の実施例３に係わる、配線４においてリードスイッチの近傍に抵抗を取り付けた様子を簡略に示した図である。
【符号の説明】
１  カバーはずし検知手段
２  制御装置
２ａ  カバーはずし検知信号受信部
２ｂ  断線／短絡検知部
２ｃ  制御部
２ｄ  警報出力部
３  フォトカプラセンサ
３ａ  胴体部
３ｂ  可動部
３ｃ  穴部
３ｄ  発光部
３ｅ  受光部
４  配線
５  ロム
６  カバー
７  ビス
８  基板
９  基板台
１０  赤外線センサ
１０ａ  発光部
１０ｂ  受光部
１１  遮光シール
１２  マグネットスイッチセンサ
１２ａ  胴体部
１２ｂ  可動部
１２ｃ  リードスイッチ
１３  永久磁石
１４  抵抗
１５、１６  止め具
【図１】
0004012586.tif 000002
【図２】
0004012586.tif 000003
【図３】
0004012586.tif 000004
【図４】
0004012586.tif 000005
【図５】
0004012586.tif 000006
【図６】
0004012586.tif 000007